【手続補正書】
【提出日】平成18年6月5日(2006.6.5)
【手続補正１】
【補正対象書類名】明細書
【補正対象項目名】特許請求の範囲
【補正方法】変更
【補正の内容】
【特許請求の範囲】
【請求項１】
患者の減弱補正された核医学画像を生成する装置であって、
軸周りで制御可能な第１の回転速度で、核断層画像を生成するのに適した核画像データを取得する少なくとも１つのガンマカメラヘッドと、
前記核断層画像の補正のために前記軸周りで制御可能な第２の回転速度で、減衰画像を生成するのに適したＸ線データを取得する少なくとも１つのＸ線ＣＴイメージャと、
以下の動作モード、
(i)前記第２の回転速度が前記第１の回転速度よりも十分に速く、前記Ｘ線取得のそれぞれの視野からのデータは、複数の呼吸ゲート制御期間の１つと対応付けられる動きゲート制御のＮＭ画像化モード、
(ii)前記第２の回転速度が前記第１の回転速度よりも十分に速く、様々な視野についての、前記Ｘ線取得のそれぞれの視野からのデータは平均化され、前記Ｘ線データは心拍周期とは関係しない心拍ゲート制御のＮＭ画像化モード、
(iii)前記第２の回転速度が前記第１の回転速度よりも速く、前記Ｘ線データは前記ＮＭデータと同一のくくりつけによってくくりつけられる心拍ゲート制御のＮＭ画像化モード、の少なくとも１つを選択的に提供するために前記データ取得および前記第１および第２の回転速度を制御するコントローラと、
を備える装置。
【請求項２】
前記コントローラは、前記動作モードの少なくとも２つを提供するために、前記データ取得および前記第１および第２の回転速度を制御する、請求項１に記載の装置。
【請求項３】
前記コントローラは、前記動作モードの３つ全てを提供するために、前記データ取得および前記第１および第２の回転速度を制御する、請求項１に記載の装置。
【請求項４】
前記提供される動作モードは少なくともモード(i)を含む、請求項１または請求項２に記載の装置。
【請求項５】
前記提供される動作モードは少なくともモード(ii)を含む、請求項１または請求項２に記載の装置。
【請求項６】
前記提供される動作モードは少なくともモード(iii)を含む、請求項１または請求項２に記載の装置。
【請求項７】
Ｘ画像化機能を有する核医学カメラであって、
ガントリに取り付けられた少なくとも１つのガンマカメラと、
前記同一のガントリに取り付けられたＸ線ＣＴイメージャと、を備え、
前記少なくとも１つのガンマカメラおよび前記Ｘ線イメージャは、様々な回転速度で共通軸周りで同時に回転することができる。
【請求項８】
前記少なくとも１つのガンマカメラおよび前記Ｘ線イメージャは、同一の回転速度で共通軸周りで同時に回転することができる、請求項７に記載の核医学カメラ。
【請求項９】
Ｘ画像化機能を有する核医学カメラであって、
固定部分および少なくとも１つの回転部分を有するガントリと、
断層核画像を再構成するための核画像化データを取得することができ、前記少なくとも１つの回転部分に取り付けられ、軸周りで共通の第１の回転速度で一度に回転される少なくとも１つのガンマカメラと、
前記少なくとも１つの回転部分に取り付けられたＸ線発生源を有し、Ｘ線画像を再構成するためのＸ線画像化データを取得することのできるＸ線ＣＴイメージャと、を備え、
前記Ｘ線ＣＴイメージャは、前記固定部分に、前記少なくとも１つのガンマカメラよりも近接して取り付けられる。
【請求項１０】
前記Ｘ線ＣＴイメージャは、前記少なくとも１つのガンマカメラと固定部分の間に取り付けられる、請求項９に記載のシステム。
【請求項１１】
前記少なくとも１つのガンマカメラは２つのガンマカメラを備える、請求項９に記載のシステム。
【請求項１２】
前記２つのガンマカメラはそれらの間の制御可能な角度を有し、前記ガンマカメラ間の前記角度を制御するコントローラを備える、請求項１１に記載のシステム。
【請求項１３】
前記少なくとも１つのガンマカメラは２つのガンマカメラを備える、請求項１０に記載のシステム。
【請求項１４】
前記２つのガンマカメラはそれらの間の制御可能な角度を有し、前記ガンマカメラ間の前記角度を制御するコントローラを備える、請求項１３に記載のシステム。
【請求項１５】
前記Ｘ線イメージャは、Ｘ線を生成するために固定のアノードのＸ線を利用する、請求項９から請求項１４のいずれかに記載のシステム。
【請求項１６】
前記Ｘ線発生源は、前記ガンマカメラの回転速度と異なる回転速度で前記軸周りで同時に回転することができる、請求項９から請求項１５のいずれかに記載のシステム。
【請求項１７】
ＣＴイメージャをガントリに取り付ける方法であって、
ガントリのローターの回転中心を決定すること、
複数の取り付け部材を前記回転中心を基準として予め決定された位置に置くこと、および、
前記取り付け部材を前記予め決定された位置に保持しつつ、前記取り付け部材を前記ローターに接続すること、を含む方法。
【請求項１８】
前記回転中心を基準とする位置決めジグを提供すること、および、
前記ジグに前記取り付け部材を接続すること、
を含む請求項１７に記載の方法。
【請求項１９】
前記回転中心に柱を置くこと、および、
前記柱に前記ジグを取り付けること、
を含む請求項１８に記載の方法。
【請求項２０】
Ｘ線発生源を提供し、その発生源は、それの上の第１の取付け基準を参照されて提供され、
Ｘ線検出器を提供し、その検出器は、それの上の第２の取付け面を参照されて提供され、および、
前記Ｘ線発生源およびＸ線検出器を前記接続された取り付け部材に取り付けること、を含む請求項１７から１９のいずれかに記載の方法。
【請求項２１】
前記取り付け部材は、前記第１および第２の取付け基準上のマッチング部材と結合する位置合わせ部材を備える、請求項２０に記載の方法。
【請求項２２】
接続することは、接着剤でつけることを含む、請求項１７から請求項２１のいずれかに記載の方法。
【請求項２３】
接続することは、ネジを用いて接続することを含む、請求項１７から２１のいずれかに記載の方法。
【請求項２４】
核画像を補正するための減衰データを取得することを含む核画像化の方法であって、
身体の第１の軸上の延長の部分で核放射データを取得すること、
前記身体の関心の放射性領域の範囲を決定すること、および、
前記決定された範囲に応じて、前記身体の第２の軸上の延長の部分で透過データを取得すること、を含む方法。
【請求項２５】
前記透過データにより補正された前記核放射から三次元放射値を生成を含む、請求項２４に記載の方法。
【請求項２６】
前記第２の軸上の延長の部分は、前記第１の軸上の延長の部分よりも小さい、請求項２４あるいは２５に記載の方法。
【請求項２７】
範囲を決定することは、平面の核放射画像を取得することを含む、請求項２４から２６のいずれかに記載の方法。
【請求項２８】
範囲を決定することは、前記取得された核放射データから前記範囲を決定することを含む、請求項２４から２６のいずれかに記載の方法。
【請求項２９】
前記透過データはＸ線発生源を用いて取得される、請求項２４から２８のいずれかに記載の方法。
【請求項３０】
前記透過データはガンマ線発生源を用いて取得される、請求項２４から２８のいずれかに記載の方法。
【請求項３１】
核画像を補正するための減衰データを取得する方法であって、
身体内の関心の器官の範囲を決定すること、
前記関心の器官よりも広い前記身体の第１の軸上の延長の部分で核放射データを取得すること、および、
前記決定された前記器官の範囲に応じて、前記第１の部分よりもかなり小さな第２の部分である、前記身体の第２の軸上の延長の部分で透過データを取得すること、を含む方法。
【請求項３２】
前記取得された透過データが、前記取得された放射データを補正するためのデータである、請求項３１に記載の方法。
【請求項３３】
範囲を決定することは、平面Ｘ線画像を取得することを含む、請求項３１あるいは３２に記載の方法。
【請求項３４】
前記透過データは、Ｘ線発生源を用いて取得される、請求項３１から３３のいずれかに記載の方法。
【請求項３５】
範囲を決定することは、平面の透過ガンマ線画像を取得することを含む、請求項３１あるいは３２に記載の方法。
【請求項３６】
前記透過データは、ガンマ線発生源を用いて取得される、請求項３１、３２あるいは３５に記載の方法。
【請求項３７】
範囲を決定することは、平面の核放射画像を取得することを含む、請求項３１あるいは３２に記載の方法。
【請求項３８】
範囲を決定することは、前記取得された核放射データから前記範囲を決定することを含む、請求項３１あるいは３２に記載の方法。
【請求項３９】
対象物の核医学画像を生成する方法であって、
核画像データが前記対象物の周りで回転するガンマカメラヘッドによって取得される状態で、核断層画像を生成するのに適した核画像化データを取得すること、
前記対象物の周りで回転するＸ線発生源により放射線を照射される検出器によってＸ線画像化データが取得される状態で、前記ガンマカメラ画像の減弱補正のためにＸ線断層画像を生成するのに適したＸ画像化データを取得すること、
前記Ｘ線が生成される間、前記ガンマカメラの感度を減少させること、および、
前記核画像化データおよび前記Ｘ線画像化データを利用して、減弱補正された核医学画像を再構成すること、を含む方法。
【請求項４０】
前記ガンマカメラヘッドは、ダイノードを有する複数の光電子増倍管を含み、前記感度を減少させることは、前記ダイノードの電圧を減少させることを含む、請求項３９に記載の方法。
【請求項４１】
対象物の核医学画像を生成する方法であって、
核画像データが前記対象物の周りで回転するガンマカメラヘッドによって取得される状態で、核断層画像を生成するのに適した核画像化データを取得すること、
複数の回転に関して、前記対象物の周りで回転するＸ線発生源により放射線を照射される検出器によってＸ線画像化データが取得される状態で、前記ガンマカメラ画像の減弱補正のためにＸ線断層画像を生成するのに適したＸ画像化データを取得すること、
平均化されたＸ線画像化データを生成するために、前記Ｘ線発生源の様々な回転で得られた同一視野のＸ線画像化データを平均化すること、
前記核画像化データおよび平均化されたゲート制御無しＸ線画像化データを利用して、減弱補正されたゲート制御された核医学画像を再構成すること、を含む方法。
【請求項４２】
患者の減弱補正された核医学画像を生成するための装置であって、
軸周りの複数の位置で、核断層画像を生成するのに適した核画像データを取得する複数のガンマカメラヘッドと、
前記軸周りの複数の位置で、前記核断層画像の補正のための減衰画像を生成するのに適したＸ線データを取得する少なくとも１つのＸ線ＣＴイメージャと、を備え、
前記Ｘ線ＣＴイメージャは固定アノードのＸ線管を備える。
【請求項４３】
対象物の核医学画像を生成するための装置であって、
ガントリに取り付けられ少なくとも１つの検出器を有し、軸周りで回転可能であり、核断層画像を生成するのに適した核画像化データを取得することのできる少なくとも１つのガンマカメラと、
前記ガントリに取り付けられ前記軸周りで回転可能であり、Ｘ線発生源と、前記ガンマカメラの検出器とは別のＸ線検出器とを含み、前記ガンマカメラ画像の減弱補正のためのＸ線断層画像を生成するのに適したＸ線画像化データを取得するＣ-ＴＸ線イメージャと、
前記核画像化データおよびＸ線画像化データを利用して減弱補正された核医学画像を再構成することのできる回路と、を備え、前記Ｃ-ＴＸ線イメージャは、わずか約１０ハウンスフィールド値またはそれ以上に過ぎないＲＭＳノイズレベルを有するＣ-Ｔ画像を生成する機能を有する。
【請求項４４】
前記ＲＭＳノイズレベルは１５ハウンスフィールド値より高い、請求項４３に記載の装置。
【請求項４５】
前記ＲＭＳノイズレベルは２０ハウンスフィールド値より高い、請求項４４に記載の装置。
【請求項４６】
前記ＲＭＳノイズレベルは５０ハウンスフィールド値より高い、請求項４５に記載の装置。
【請求項４７】
前記ＲＭＳノイズレベルは１００ハウンスフィールド値より高い、請求項４６に記載の装置。
【請求項４８】
前記ＲＭＳノイズレベルは２００ハウンスフィールド値より低い、請求項４３から４７のいずれかに記載の装置。
【請求項４９】
前記Ｘ線イメージャは、体軸横断方向において約４lp/cmより低い解像度を有する断層画像を生成することができるのみである、請求項４３から４８のいずれかに記載の装置。
【請求項５０】
前記解像度は約３lp/cmより低い、請求項４９に記載の装置。
【請求項５１】
前記解像度は約２lp/cmより低い、請求項５０に記載の装置。
【請求項５２】
対象物の核医学画像を生成するための装置であって、
ガントリに取り付けられ少なくとも１つの検出器を有し、軸周りで回転可能であり、核断層画像を生成するのに適した核画像化データを取得することのできる少なくとも１つのガンマカメラと、
前記ガントリに取り付けられ前記軸周りで回転可能であり、Ｘ線発生源と、前記ガンマカメラの検出器とは別のＸ線検出器とを含み、前記ガンマカメラ画像の減弱補正のためのＸ線断層画像を生成するのに適したＸ線画像化データを取得するＣ-ＴＸ線イメージャと、
前記核画像化データおよびＸ線画像化データを利用して減弱補正された核医学画像を再構成することのできる回路と、を備え、前記Ｃ-ＴＸ線イメージャは、わずか４lp/cmまたはそれ未満に過ぎない解像度を有するＣ-Ｔ画像を生成する機能を有する。
【請求項５３】
前記解像度は約３lp/cmより低い、請求項５２に記載の装置。
【請求項５４】
前記解像度は約２lp/cmより低い、請求項５３に記載の装置。